(57)【要約】【課題】発電所に関連する工事および作業に関する業務効率の向上や透明性，安全性および法令遵守を図ることができる発電所工事作業支援システムおよび方法を提供する。【解決手段】発電所工事作業支援サーバ１０は、現場端末装置２０から送信されてくる工事または作業の種別に基づいて工事・作業標準データベース１１および法令・規則データベース１２を検索してこの工事または作業の種別の工事・作業標準データおよびこの工事または作業の種別に関連する関連法令および社内規則を取得し、取得した工事・作業標準データ，関連法令および社内規則を現場端末装置２０に送信して表示させる。また、発電所工事作業支援サーバ１０は、各工程での工事または作業の実施状況が現場端末装置２０から送信されてくると、この各工程での工事または作業の実施状況が関連法令および社内規則に適合するか否かを確認して確認記録を現場端末装置２０に送信して表示させる。【選択図】  図１
2006252226.tif 000002
【特許請求の範囲】
【請求項１】
発電所工事作業支援サーバ（１０）と、
該発電所工事作業支援サーバに接続されたかつ工事・作業標準データが格納された工事・作業標準データベース（１１）と、
前記発電所工事作業支援サーバに接続されたかつ関連法令および社内規則が格納された法令・規則データベース（１２）と、
前記発電所工事作業支援サーバと相互接続された現場端末装置（２０）と、
を具備し、
前記発電所工事作業支援サーバが、前記現場端末装置から送信されてくる工事または作業の種別に基づいて前記工事・作業標準データベースおよび前記法令・規則データベースを検索して該工事または作業の種別の工事・作業標準データおよび該工事または作業の種別に関連する関連法令および社内規則を取得し、該取得した工事・作業標準データ，関連法令および社内規則を前記現場端末装置に送信して表示させる、
ことを特徴とする、発電所工事作業支援システム。
【請求項２】
前記現場端末装置に表示された工事・作業標準データ，関連法令および社内規則を参照しながら工事・作業計画書が作成されることを特徴とする、請求項１記載の発電所工事作業支援システム。
【請求項３】
前記発電所工事作業支援サーバに接続された工事・作業記録データベース（１３）と、
前記発電所工事作業支援サーバと相互接続された監督者端末装置（３０）と、
をさらに具備し、
前記発電所工事作業支援サーバが、各工程での工事または作業の実施状況が前記現場端末装置から送信されてくると、該各工程での工事または作業の実施状況が前記関連法令および前記社内規則に適合するか否かを確認して確認記録を前記現場端末装置に送信して表示させ、
前記発電所工事作業支援サーバが、電子署名がなされた前記確認記録が前記現場端末装置から送信されてくると、前記各工程での工事または作業の実施状況および前記電子署名された確認記録を前記工事・作業記録データベースに格納する、
ことを特徴とする、請求項１または２記載の発電所工事作業支援システム。
【請求項４】
前記発電所工事作業支援サーバが、「工事・作業報告書を作成する」旨が前記現場端末装置から送信されてくると、前記工事・作業記録データベースに格納されている前記各工程での工事または作業の実施状況および前記電子署名された確認記録を参照して工事・作業報告書を作成するとともに、該作成した工事・作業報告書を前記現場端末装置に送信して表示させることを特徴とする、請求項１乃至３いずれかに記載の発電所工事作業支援システム。
【請求項５】
前記工事・作業標準データが、発電所および発電所建設所において行われる工作物の新設・増設・修繕・改良・除却および事故復旧時の工事および作業に関する工事・作業標準データと、土木建設関係の工事および作業に関する工事・作業標準データとを含むことを特徴とする、請求項１乃至４いずれかに記載の発電所工事作業支援システム。
【請求項６】
発電所工事作業支援サーバが、現場端末装置から送信されてくる工事または作業の種別に基づいて、工事・作業標準データが格納された工事・作業標準データベースおよび関連法令および社内規則が格納された法令・規則データベースを検索して、該工事または作業の種別の工事・作業標準データおよび該工事または作業の種別に関連する関連法令および社内規則を取得し、該取得した工事・作業標準データ，関連法令および社内規則を前記現場端末装置に送信して表示させるステップ（Ｓ１２，Ｓ１３）と、
前記発電所工事作業支援サーバが、各工程での工事または作業の実施状況が前記現場端末装置から送信されてくると、該各工程での工事または作業の実施状況が前記関連法令および前記社内規則に適合するか否かを確認して確認記録を前記現場端末装置に送信して表示させるステップ（Ｓ１５）と、
前記発電所工事作業支援サーバが、電子署名がなされた前記確認記録が前記現場端末装置から送信されてくると、前記各工程での工事または作業の実施状況および前記電子署名された確認記録を前記工事・作業記録データベースに格納するステップ（Ｓ１７）と、
を備えることを特徴とする、発電所工事作業支援方法。
【請求項７】
前記現場端末装置に表示された工事・作業標準データ，関連法令および社内規則を参照して工事・作業計画書が作成されることを特徴とする、請求項６記載の発電所工事作業支援方法。
【請求項８】
前記発電所工事作業支援サーバが、「工事・作業報告書を作成する」旨が前記現場端末装置から送信されてくると、前記工事・作業記録データベースに格納されている前記各工程での工事または作業の実施状況および前記電子署名された確認記録を参照して工事・作業報告書を作成するとともに、該作成した工事・作業報告書を前記現場端末装置に送信して表示させるステップ（Ｓ１９）をさらに備えることを特徴とする、請求項６または７記載の発電所工事作業支援方法。
【請求項９】
前記工事・作業標準データが、発電所および発電所建設所において行われる工作物の新設・増設・修繕・改良・除却および事故復旧時の工事および作業に関する工事・作業標準データと、土木建設関係の工事および作業に関する工事・作業標準データとを含むことを特徴とする、請求項６乃至８いずれかに記載の発電所工事作業支援方法。
【発明の詳細な説明】
【技術分野】
【０００１】
本発明は、発電所工事作業支援システムおよび方法に関し、特に、汽力発電所などにおいて行われる工事および作業に関する業務を支援するのに好適な発電所工事作業支援システムおよび方法に関する。
【背景技術】
【０００２】
発電所やそれに関連する工事は、一般的な土木建設物とは異なる要素が多く、また、特殊な作業も多い。特に、電力事業者に求められている社会的責任および義務という視点からは工事および作業の透明性，安全性および法令遵守などは重要な責務である。
【０００３】
なお、建設工程に即した建設状態および工事状態の状況を時系列的に確認できる発電所の建設計画装置として、以下に示す特許文献１に記載されたものが提案されており、また、設備に関するドキュメントのデータベースの検索を設備名称だけでなくその同義語・類義語や略称でも容易に検索できる電力設備の工事管理業務支援装置として、以下に示す特許文献２に記載されたものが提案されている。
【特許文献１】特開２００３−２６６４９８号公報
【特許文献２】特開２００２−７３６３２号公報
【発明の開示】
【発明が解決しようとする課題】
【０００４】
このような背景の中、従来では関連箇所で個別に管理運用されている工事・作業標準を一本化して業務の効率化を図ることが求められており、また、工事および作業に瑕疵があった場合の明確な責任所在や情報の公開性も重要な課題となっている。
【０００５】
本発明の目的は、発電所に関連する工事および作業に関する業務効率の向上や透明性，安全性および法令遵守を図ることができる発電所工事作業支援システムおよび方法を提供することにある。
【課題を解決するための手段】
【０００６】
本発明の発電所工事作業支援システムは、発電所工事作業支援サーバ（１０）と、該発電所工事作業支援サーバに接続されたかつ工事・作業標準データが格納された工事・作業標準データベース（１１）と、前記発電所工事作業支援サーバに接続されたかつ関連法令および社内規則が格納された法令・規則データベース（１２）と、前記発電所工事作業支援サーバと相互接続された現場端末装置（２０）とを具備し、前記発電所工事作業支援サーバが、前記現場端末装置から送信されてくる工事または作業の種別に基づいて前記工事・作業標準データベースおよび前記法令・規則データベースを検索して該工事または作業の種別の工事・作業標準データおよび該工事または作業の種別に関連する関連法令および社内規則を取得し、該取得した工事・作業標準データ，関連法令および社内規則を前記現場端末装置に送信して表示させることを特徴とする。
ここで、前記現場端末装置に表示された工事・作業標準データ，関連法令および社内規則を参照しながら工事・作業計画書が作成されてもよい。
また、前記発電所工事作業支援サーバに接続された工事・作業記録データベース（１３）と、前記発電所工事作業支援サーバと相互接続された監督者端末装置（３０）とをさらに具備し、前記発電所工事作業支援サーバが、各工程での工事または作業の実施状況が前記現場端末装置から送信されてくると、該各工程での工事または作業の実施状況が前記関連法令および前記社内規則に適合するか否かを確認して確認記録を前記現場端末装置に送信して表示させ、前記発電所工事作業支援サーバが、電子署名がなされた前記確認記録が前記現場端末装置から送信されてくると、前記各工程での工事または作業の実施状況および前記電子署名された確認記録を前記工事・作業記録データベースに格納してもよい。
さらに、前記発電所工事作業支援サーバが、「工事・作業報告書を作成する」旨が前記現場端末装置から送信されてくると、前記工事・作業記録データベースに格納されている前記各工程での工事または作業の実施状況および前記電子署名された確認記録を参照して工事・作業報告書を作成するとともに、該作成した工事・作業報告書を前記現場端末装置に送信して表示させてもよい。
さらにまた、前記工事・作業標準データが、発電所および発電所建設所において行われる工作物の新設・増設・修繕・改良・除却および事故復旧時の工事および作業に関する工事・作業標準データと、土木建設関係の工事および作業に関する工事・作業標準データとを含んでもよい。
【０００７】
本発明の発電所工事作業支援方法は、発電所工事作業支援サーバが、現場端末装置から送信されてくる工事または作業の種別に基づいて、工事・作業標準データが格納された工事・作業標準データベースおよび関連法令および社内規則が格納された法令・規則データベースを検索して、該工事または作業の種別の工事・作業標準データおよび該工事または作業の種別に関連する関連法令および社内規則を取得し、該取得した工事・作業標準データ，関連法令および社内規則を前記現場端末装置に送信して表示させるステップ（Ｓ１２，Ｓ１３）と、前記発電所工事作業支援サーバが、各工程での工事または作業の実施状況が前記現場端末装置から送信されてくると、該各工程での工事または作業の実施状況が前記関連法令および前記社内規則に適合するか否かを確認して確認記録を前記現場端末装置に送信して表示させるステップ（Ｓ１５）と、前記発電所工事作業支援サーバが、電子署名がなされた前記確認記録が前記現場端末装置から送信されてくると、前記各工程での工事または作業の実施状況および前記電子署名された確認記録を前記工事・作業記録データベースに格納するステップ（Ｓ１７）とを備えることを特徴とする。
ここで、前記現場端末装置に表示された工事・作業標準データ，関連法令および社内規則を参照して工事・作業計画書が作成されてもよい。
前記発電所工事作業支援サーバが、「工事・作業報告書を作成する」旨が前記現場端末装置から送信されてくると、前記工事・作業記録データベースに格納されている前記各工程での工事または作業の実施状況および前記電子署名された確認記録を参照して工事・作業報告書を作成するとともに、該作成した工事・作業報告書を前記現場端末装置に送信して表示させるステップ（Ｓ１９）をさらに備えてもよい。
前記工事・作業標準データが、発電所および発電所建設所において行われる工作物の新設・増設・修繕・改良・除却および事故復旧時の工事および作業に関する工事・作業標準データと、土木建設関係の工事および作業に関する工事・作業標準データとを含んでもよい。
【発明の効果】
【０００８】
本発明の発電所工事作業支援システムおよび方法は、以下の効果を奏する。
（１）工事または作業の種別に応じた工事・作業標準データ，関連法令および社内規則に基づいて工事・作業計画書の作成を行うことにより、工事・作業方法の統一化による業務の効率化が図れるとともに法令遵守を図ることができる。
（２）工事または作業の実施状況および確認記録を工事・作業記録データベースに格納することにより、たとえば工事および作業の監督者は工事または作業の進捗状況及び適法性を把握することができるため、工事および作業の透明性および公開性を担保することができる。
（３）工事・作業記録データベースに格納された工事または作業の実施状況および電子署名された確認記録を参照して発電所工事作業サーバを用いて工事・作業報告書を作成することにより、業務効率の向上，責任所在の明確化および情報の公開性を担保することができる。
【発明を実施するための最良の形態】
【０００９】
発電所に関連する工事および作業に関する業務効率の向上や透明性，安全性および法令遵守を図ることができるという目的を、工事・作業標準データを工事・作業標準データベースに格納するとともに関連法令および社内規則を法令・規則データベースに格納して、発電所工事作業支援サーバにより工事・作業標準データベースおよび法令・規則データベースを検索して取得した工事または作業の種別に応じた工事・作業標準データ，関連法令および社内規則に基づいて工事・作業計画書の作成や工事・作業の実施を行い、また、各工程での工事または作業の実施状況および電子署名された確認記録を工事・作業記録データベースに格納することにより実現した。
【実施例１】
【００１０】
以下、本発明の発電所工事作業支援システムおよび方法の実施例について図面を参照して説明する。
本発明の一実施例による発電所工事作業支援システム１は、図１に示すように、管理センタに設けられた発電所工事作業支援サーバ１０と、発電所工事作業支援サーバ１０に接続された工事・作業標準データベース（工事・作業標準ＤＢ）１１と、発電所工事作業支援サーバ１０に接続された法令・規則データベース（法令・規則ＤＢ）１２と、発電所工事作業支援サーバ１０に接続された工事・作業記録データベース（工事・作業記録ＤＢ）１３と、工事または作業の現場に設けられたかつ発電所工事作業支援サーバ１０と社内ネットワークなどで相互接続された現場端末装置２０と、発電所工事作業支援サーバ１０と社内ネットワークなどで相互接続されたかつ工事および作業の監督者が使用する監督者端末装置３０とを備える。
【００１１】
工事・作業標準データベース１１には、発電所および発電所建設所において行われる工作物の新設・増設・修繕・改良・除却および事故復旧時の工事および作業に関する工事・作業標準データ（以下、「第１の工事・作業標準データ」と称する。）と土木建設関係の工事および作業に関する工事・作業標準データ（以下、「第２の工事・作業標準データ」と称する。）とが格納されている。
【００１２】
ここで、第１の工事・作業標準データは、以下に示す工事および作業に関する工事・作業標準データを含む。
（１）電気作業
（２）高所・開口部作業
（３）足場等架設作業
（４）運搬および吊り上げ作業
（５）閉所内作業（煙道・風道・集じん器・ボイラ炉内・各種タンク等の内部での作業のうち酸素欠乏危険作業以外の作業をいう。）
（６）酸素欠乏危険作業
（７）高圧・高温機器近接作業
（８）溶接・溶断作業
（９）危険物取扱作業
（１０）有害物取扱作業
（１１）水上作業
【００１３】
第１の工事・作業標準データの具体的内容の一例として停電作業の標準を以下に示す。
（停電作業開始時）
作業責任者は、危険区画標示（紅白ロープ・ネットなどで立入禁止区域を区画する標示）および乙種アース（停電作業時に現場において作業者の安全確保のために取り付けるアース）の取付けを次の要領で行う。
（Ａ）危険区画標示の取付け
ａ．作業中接近するおそれのある充電部は、紅白ロープ・ネット等により区画し、「立入禁止」または「オペレータ以外立入禁止」の標識を取り付け、立入を禁止する。なお、止むを得ず危険区画に立入る場合は、「許可者以外立入禁止」の標識を取り付け、許可を得た者以外の立入を禁止する。
ｂ．標示は、充電部からの離隔距離を十分にとる。
ｃ．作業責任者は、標示付けのため作業員が充電部に接近するおそれのある場合、専任の監視員を配置する。
（Ｂ）乙種アースの取付け
ａ．アースを取り付ける電路を検電し、停電していることを確認する。
ｂ．アース線を確実に接地した後、アースフックを機器または電路側に接続する。なお、アース線は作業用接地線使用基準に適合したものを使用する。
ｃ．アースは作業場所に近接して取り付ける。
ｄ．アース取付け終了後、所定の接地標識を取り付ける。
（作業終了後）
作業責任者は、乙種アースおよび危険区画標識の取外しを次の要領で行う。
（Ａ）乙種アースの取外し
ａ．機器または電路側のアースを取り外した後、接地側を取り外す。
ｂ．アースを取り外した後、絶縁抵抗を測定し、運転に支障のないことを確認する。
（Ｂ）危険区画標識の取外し
取外しは、「危険区画標示の取付け」に準じて行う。
【００１４】
また、第２の工事・作業標準データ（土木建設関係の工事および作業に関する工事・作業標準データ）は、以下に示す工事および作業に関する工事・作業標準データを含む。
（１）水路断水作業
（２）水上作業
（３）運搬および吊り上げ作業
（４）高所作業
（５）伐採・除草作業
（６）閉所内作業（水力発電所の水路、水路管、水圧鉄管、ケーシングおよびドラフトなど並びに火力・原子力発電所の煙突、排気筒、取放水路、タンクおよびケーブルダクトなどの四方が閉塞されている内部での作業）
（７）充電部の周囲で行う作業（水力発電所・変電所構内の電気機器、送電線および配電線などの周囲で行う作業のうち活線近接作業範囲に該当しない土木建築作業）
（８）酸素欠乏等危険作業
（９）危険物取扱作業
【００１５】
第２の工事・作業標準データの具体的内容の一例として水路断水作業の標準を以下に示す。
（作業実施前）
（Ａ）直営作業の場合、作業責任者は次の事項を行った後、作業者に作業の実施を指示する。
ａ．ゲート類の閉そく・ロック状態，無水，酸素欠乏状態，一酸化炭素等有毒ガスの状態，作業範囲に係わる通電状態および通水の禁止処置等が確実に実施してあることを確認する。
ｂ．作業者に「作業中」の表示を設置させその状況を確認する。
ｃ．人員，工具数を点検し確認する。
（Ｂ）請負工事の場合、工事立会者は次の事項を確認した後、現場代理人に作業着手を指示する。
ａ．ゲート類の閉そく・ロック状態，無水，酸素欠乏状態，一酸化炭素等有毒ガスの状態，作業範囲に係わる通電状態および通水の禁止処置等が確実に実施してあることを確認する。
ｂ．請負者の施工体制を確認したうえ「作業中」の表示設置について立会確認する。
（作業終了後）
（Ａ）直営作業の場合、作業責任者は作業が終了したときは次の事項を行った後、運転責任者に作業終了を報告する。
ａ．予定の作業が確実に終了したことを確認し、人員，工具数を点検する。
ｂ．全作業が終了したことを確認して「作業中」の表示外しを指示する。
ｃ．営業運転に支障がないことを確認する。
（Ｂ）請負工事の場合、工事立会者は現場代理人から作業終了の報告を受けたとき次の事項を確認した後、運転責任者に作業終了を報告する。
ａ．予定の作業が確実に終了したことおよび通水箇所に請負関係者が立ち入っていないことを現場代理人から確認する。
ｂ．「作業中」の表示外しについて立会確認する。
ｃ．終了検査を行い、営業運転に支障がないことを確認する。
【００１６】
法令・規則データベース１２には、発電所および発電所建設所において行われる工作物の新設・増設・修繕・改良・除却および事故復旧時の工事および作業に関連のある関連法令（政令および省令を含む。以下同様。）や社内規則と土木建設関係の工事および作業に関連のある関連法令や社内規則とが格納されている。
関連法令の具体例としては、「労働安全衛生法」，「労働安全衛生法施行令」，「労働安全衛生規則」，「クレーン等安全規則」，「酸素欠乏症等防止規則」，「消防法」および「船舶職員法」などがある。
【００１７】
工事・作業記録データベース１３には、現場端末装置２０から発電所工事作業支援サーバ１０に送信されてくる工事または作業の実施状況，発電所工事作業支援サーバ１０による確認記録などが格納される。
【００１８】
次に、発電所工事作業支援システム１の動作について、図２に示したフローチャートを参照して説明する。
（工事・作業計画書の作成）
工事・作業計画書の作成時には、工事担当課長は工事または作業の種別（たとえば、停電作業など）を現場端末装置２０から発電所工事作業支援サーバ１０に送信する（ステップＳ１１）。発電所工事作業支援サーバ１０は、受信した工事または作業の種別に基づいて作業標準データベース１１を検索してこの工事または作業の種別の工事・作業標準データを取得したのち、取得した工事・作業標準データを現場端末装置２０に送信して表示させる（ステップＳ１２）。
また、発電所工事作業支援サーバ１０は、受信した工事または作業の種別に基づいて法令・規則データベース１２を検索してこの工事または作業の種別に関連する関連法令および社内規則を取得したのち、取得した関連法令および社内規則を現場端末装置２０に送信して表示させる（ステップＳ１３）。
工事担当課長は、現場端末装置２０に表示された工事・作業標準データ，関連法令および社内規則を参照しながら工事・作業体制，工事・作業方法，安全対策および環境保全対策などの計画を決定して工事・作業計画書を作成する。
以上により、社内で統一化された工事・作業標準に基づいて工事・作業計画書を作成することができるため工事・作業方法の統一化による業務の効率化が図れるとともに、工事または作業に関連する関連法令および社内規則に従った工事・作業計画書を作成することができるため法令遵守を図ることができる。
【００１９】
（工事・作業の実施）
工事または作業の実施にあたっては、工事担当課長は、工事・作業計画書に基づいて作業員が工事または作業を行うように徹底するとともに、各工程での工事または作業の実施状況を現場端末装置２０から発電所工事作業支援サーバ１０に送信する（ステップＳ１４）。発電所工事作業支援サーバ１０は、受信した各工程での工事または作業の実施状況が関連法令に適合するか否かを法令・規則データベース１２に格納されている関連法令に基づいてリアルタイムで確認して、確認記録を現場端末装置２０に送信して表示させる（ステップＳ１５）。
工事担当課長は、現場端末装置２０に表示された確認記録により各工程での工事または作業の実施状況が関連法令や安全基準に適合することを確認したのち、次の工程の工事または作業の指示を作業員に与える。また、工事担当課長は、現場端末装置２０を用いてこの確認記録に対して電子署名したのち、電子署名がなされた確認記録を現場端末装置２０から発電所工事作業支援サーバ１０に送信する（ステップＳ１６）。
発電所工事作業支援サーバ１０は、各工程での工事または作業の実施状況および電子署名がなされた確認記録を工事・作業記録データベース１３に格納する（ステップＳ１７）。
以上により、工事および作業の透明性，安全性および法令遵守を担保することができるとともに責任所在の明確化を図ることができる。
【００２０】
また、工事および作業の監督者は、監督者端末装置３０から発電所工事作業支援サーバ１０にアクセスして工事・作業記録データベース１３に格納されている各工程での工事または作業の実施状況および電子署名がなされた確認記録を読み出すことにより、リアルタイムで各工程での工事または作業の進捗状況及び適法性を把握することができる。これにより、工事および作業の透明性および公開性を担保することができる。
【００２１】
（作業の完了）
全工程の工事または作業が終了すると、工事担当課長は、「工事・作業報告書を作成する」旨を現場端末装置２０から発電所工事作業支援サーバ１０に送信する（ステップＳ１８）。「工事・作業報告書を作成する」旨を受信した発電所工事作業支援サーバ１０は、工事・作業記録データベース１３に格納されている各工程での工事または作業の実施状況および電子署名がなされた確認記録を参照して、責任者を明確にした工事・作業報告書を作成したのち、作成した工事・作業報告書を現場端末装置２０に送信して表示させる（ステップＳ１９）。これにより、業務効率の向上，責任所在の明確化および情報の公開性を担保することができる。
【００２２】
なお、以上述べた発電所工事作業支援方法と同様の支援方法を紙面でマニュアル化して、工事責任者や工事担当課長などがこのマニュアルを見て工事または作業を行うようにすることもできる。
【産業上の利用可能性】
【００２３】
以上説明したように、本発明の発電所工事作業支援システムおよび方法は、たとえば発電所および発電所建設所において行われる工作物の新設・増設・修繕・改良・除却および事故復旧時の工事または作業や土木建設関係の工事または作業に使用することができる。
【図面の簡単な説明】
【００２４】
【図１】本発明の一実施例による発電所工事作業支援システムを説明するための概略ブロック図である。（実施例１）
【図２】図１に示した発電所工事作業支援システム１の動作を説明するためのフローチャートである。（実施例１）
【符号の説明】
【００２５】
１  発電所工事作業支援システム
１０  発電所工事作業支援サーバ
１１  工事・作業標準データベース
１２  法令・規則データベース
１３  工事・作業記録データベース
２０  現場端末装置
３０  監督者端末装置
Ｓ１１〜Ｓ１９  ステップ
【図１】
2006252226.tif 000003
【図２】
2006252226.tif 000004